Podtech/llm-jp-corpus-v4-ja_patent huggingface dataset:
(57)【要約】      （修正有）【課題】介護者の負担を減らし、被介護者が安楽に介護を受けられるよう、介護作業に欠かせないオムツ交換を、又、パット交換を自分で行える老人や、女性の生理パット交換も従来のものより楽に行える、赤ちゃんから老人まで使えるオムツカバー、又、生理ショーツにもなるパットカバーを提供する。【解決手段】装着時、お腹の方に引っ張り上げるように構造することで、お腹から大きく開けられ、パット交換の負担を減らし、脱ぐことなく、ウエストで固定された状態でパットを楽に交換でき、腹部圧迫感を軽減し、密着力を増し、排泄物の漏れやパットのよれを防ぎ、ごわごわした不快感を減らすことのできる、赤ちゃん、老人はオムツカバーとして、女性は生理ショーツとして、赤ちゃんから老人まで使用できるパットカバーとした。【選択図】図３
2010012189.tif 000002
【特許請求の範囲】
【請求項１】
装着時、最後にお腹の方に引っ張り上げるので、密着しやすく、排泄物の漏れやパットのよれを少なくし、お腹の圧迫感を減らすのにフィット感は増し、ごわごわした不快感も少なくする。又、脱ぐことなくウエストで固定された状態でお腹から大きく開けられるので、パットを楽に交換出来る。赤ちゃん、老人はオムツカバーとして、女性は生理ショーツとして使用できる赤ちゃんから老人まで使えるパットカバー
【発明の詳細な説明】
【発明の詳細な説明】
このパットカバーの装着方法
図面１  開いた状態
図面２  ▲１▼と▲２▼をお腹の前で合わせる
図面３  ▲３▼をお腹の前へ引き上げてとめる
取り外しはこの逆の作業となり、パット交換時、最初にカバーをお腹から大きく開けられるので、排泄物で汚染されたパットの除去にすぐ取りかかれる。従来の体側面から取り外すオムツは、最後にカバーを開けていたのでこれより手間がかかっていた。これは、介護者の負担の軽減にも繋がる。トイレ使用可能な人は、脱ぐことなくウエストで固定された状態、図面２でパットの交換をすることができる。又、下腹部で開けられる物より大きく開けられるので、楽にパットを替えられる。これは生理パット交換にも有効である。又、装着時、最後にお腹の方に引っ張り上げるので、密着力が増し、排泄物の漏れやパットのよれを少なくする。又、単に前開きのカバーでは、お腹でしめるので、お腹に圧迫感を感じることがあるが、▲３▼を引っ張り上げることにより、同時に力が下にも働き、お腹にかかる力が下に向かい、お腹にかかる圧力を減らすことができ、お腹の圧迫感を和らげることができる。又、フィット感があるので、ごわごわした不快感もなくなる。
【発明の効果】
１，介護者の作業の負担の軽減、作業時間の短縮
２，お腹にかかる圧迫感の軽減
４，トイレを使用できる人の、パットの交換の簡易さ
５，排泄物の漏れやパットのよれの防止
６，赤ちゃんから老人、女性と幅広く使用することができる
７，フィット感が増し、ごわごわの不快感を軽減する
【図１】
2010012189.tif 000003
【図２】
2010012189.tif 000004
【図３】
2010012189.tif 000005
【手続補正書】
【提出日】平成20年9月1日(2008.9.1)
【手続補正１】
【補正対象書類名】明細書
【補正対象項目名】全文
【補正方法】変更
【補正の内容】
【発明の詳細な説明】
【０００１】赤ちゃんから老人まで使える、パット交換の負担を減らすオムツカバー、又、生理ショーツにもなるパットカバー
このパットカバーの装着方法
図面１  開いた状態
図面２  ▲１▼と▲２▼をお腹の前で合わせる
図面３  ▲３▼をお腹の前へ引き上げてとめる
取り外しはこの逆の作業となり、パット交換時、最初にカバーをお腹から大きく開けられるので、排泄物で汚染されたパットの除去にすぐ取りかかれる。従来の体側面から取り外すオムツは、最後にカバーを開けていたのでこれより手間がかかっていた。これは、介護者の負担の軽減にも繋がる。トイレ使用可能な人は、脱ぐことなくウエストで固定された状態、図面２でパットの交換をすることができる。又、下腹部で開けられる物より大きく開けられるので、楽にパットを替えられる。これは生理パット交換にも有効である。又、装着時、最後にお腹の方に引っ張り上げるので、密着力が増し、排泄物の漏れやパットのよれを少なくする。又、単に前開きのカバーでは、お腹でしめるので、お腹に圧迫感を感じることがあるが、▲３▼を引っ張り上げることにより、同時に力が下にも働き、お腹にかかる力が下に向かい、お腹にかかる圧力を減らすことができ、お腹の圧迫感を和らげることができる。又、フィット感があるので、ごわごわした不快感もなくなる。
【発明の効果】
１，介護者の作業の負担の軽減、作業時間の短縮
２，お腹にかかる圧迫感の軽減
４，トイレを使用できる人の、パットの交換の簡易さ
５，排泄物の漏れやパットのよれの防止
６，赤ちゃんから老人、女性と幅広く使用することができる
７，フィット感が増し、ごわごわの不快感を軽減する
【図面の簡単な説明】〔０００Ｘ〕【図１】  ・パットカバーを開いた状態
【図２】  ・お腹の部分だけ閉じた状態
【図３】  ・パットカバーの閉じた状態の立体図
(57)【要約】【課題】  顔の髭を剃る時に使うＴ型剃刀の刃の部分を斜めに傾斜させ、髭の剃り効率を良くした、傾斜刃の剃刀を提供する。【解決手段】  Ｔ型剃刀のヘッド部分の刃を全部で４枚とし、上部の刃と下部の刃を外枠と水平とし、中間の２枚の刃を斜めに傾斜させた状態で配置したことを特徴とする傾斜刃の剃刀。【選択図】図１
2010012194.tif 000002
【特許請求の範囲】
【請求項１】
Ｔ型剃刀の上部ヘッド部分の刃を全部で４枚とし、上部の刃と下部の刃を外枠と水平とし、中間の２枚の刃を斜めに傾斜させた状態で配置したことを特徴とする傾斜刃の剃刀。
【発明の詳細な説明】
【技術分野】
【０００１】  本発明は、顔の髭を剃る時に使うＴ型剃刀の刃の部分を斜めに傾斜させ、髭の剃り効率を良くした、傾斜刃の剃刀に関するものである。
【背景技術】
【０００２】  従来、Ｔ型剃刀の刃の部分は、枚数は増えているが外枠と平行に刃が並んでいた。
【発明の開示】
【発明が解決しようとする課題】
【０００３】    そのために、次のような問題点があった。
より良く快適に顔の髭を剃るとき、手首部分をコントロールしＴ型剃刀を少し傾斜させて剃るような感じになっていた、本発明は以上の問題点を解決しようとするものである。
【課題を解決するための手段】
【０００４】    Ｔ型剃刀の上部ヘッド部分の刃を全部で４枚とし、上部の刃と下部の刃を外枠と水平とし、中間の２枚の刃を斜めに傾斜させた状態で配置したことを特徴とする傾斜刃の剃刀である。
【発明の効果】
【０００５】  本発明は、Ｔ型剃刀を使用時に顔の上部から下部へ手首の向きを変えることなく、髭剃り行為ができる。
【発明を実施するための最良の形態】
【０００６】  以下、本発明の実施の形態を説明する。
（イ）      剃刀のヘッド部分（２）の上部に水平の刃（６）を取り付ける
（ロ）      剃刀のヘッド部分（２）の下部に水平の刃（３）を取り付ける
（ハ）      剃刀のヘッド部分（２）の中央部に斜め上部の刃（５）と斜め下部の刃（              ４）を２枚設置する。
（ニ）      剃刀ヘッド部分（２）と柄の部分（１）をつなぐ。
本発明は、以上の構成よりなっている。
本発明を使用するときは、髭剃り面に対して水平に上部から下部へと剃刀を移動させ  る。
【図面の簡単な説明】
【０００７】
【図１】  本発明の平面図
【符号の説明】
【０００８】  １  柄の部分
２  剃刀のヘッド部分
３  下部水平の刃
４  斜め下部の刃
５  斜め上部の刃
６  上部水平の刃
【図１】
2010012194.tif 000003
(57)【要約】      （修正有）【課題】就寝のとき上向きに寝る時は平らな従来の枕で良いが横向きに寝た場合には下になった方の腕が痺れ又テレビを横向に見る時など枕を二つ重ねて見なければ頭の位置が低く視にくいうえに体が疲れる。そこで横向き、上向きに寝る枕を提供する。【解決手段】一つの枕に高Ａ低Ｂの段差をつけた。【選択図】図２
2010012198.tif 000002
【特許請求の範囲】
【請求項１】
段差をつけた枕
【発明の詳細な説明】
【技術分野】
【０００１】本発明は枕に関するものである
【背景技術】
【０００２】従来の枕は平らであった【０００３】その平らの枕の一部に段をつけてみた
【発明の開示】
就寝のとき上向きに寝る時は平らな従来の枕で良いが横向きに寝た場合には下になった方の腕が痺れ又テレビを横向に見る時など枕を二つ重ねて見なければ頭の位置が低く視にくいうえに体が疲れる、そこで枕の一部を高くすることを思いついた
【発明が解決しようとする課題】
【０００４】就寝のとき上向きに寝る場合は従来の枕で良いのだが横向きに寝る場合は肩幅が有るために肩や腕を圧迫し腕などが痺れて困っていた、その原因は従来の枕は上向きに寝ることのみに作られていた
【０００５】枕に段差をつけて低いところでは上向きの時に使用し高いところでは横向きの時に使用すれば体に無理が掛からない又一つの枕に段差を付けている為に頭を動かすだけで寝たままの状態で使用することが出来て手間が掛からない
【課題を解決するための手段】
【０００６】一つの枕に高低の段差を付ける
【発明の効果】
【０００７】従来の枕では横向きに寝るとき又テレビなど横向きに見るとき別の枕を重ねたり枕の下に物を入れたりする方法しか無く不便であった、寝ている時にはその様な面倒なことは出来ないので今までは仕方なく従来の枕で我慢をしていた、この発明では高低の段差を一つの枕に付ける事により頭を動かすだけで寝たまま高い方も低い方も使う事ができ面倒がなく体を動かす事も無く楽に使用できる横向きになっても腕が痺れる事も無く身体にも良い事が解った
【発明を実施するための最良の形態】
【０００８】以下本発明の実施の形態を図１〜２基づいて説明する【０００９】図１は従来から使用されている枕の姿を表しているものである【００１０】図２は枕の片側一部を高くして段差のある枕の姿図である
低い方は上向きに寝る時に使用する高い方は横向きに寝るときに使用する、人の体は上向き寝る時身体は平らであり従来の枕で問題はなかったしかし横向きに寝るときは肩幅がありその肩幅の分だけ身体の重みがそこに掛かる事により肩凝り腕が痺れて困っていた図のように高低の段差を作ることにより解決した
一つの枕に段差をつけた事で手間は要らず寝ながら頭を動かすだけで良く発明の重要な部分と思われる
【図面の簡単な説明】
【００１１】
【図１】従来の一般に使用されている枕の姿図
【図２】一つの枕にＡ部分を高くＢ部分を普通の高さにした段差のある枕の姿図
【図１】
2010012198.tif 000003
【図２】
2010012198.tif 000004
(57)【要約】      （修正有）【課題】傘を開いた状態で装置に先端をあてるだけで、エアープレッシャーによって水滴を簡単に短時間で除去する装置である。【解決手段】傘１０を開いた状態で、傘差込ガイド３に傘１０の先端を挿入すると、センサースイッチ４が働き、プレッシャーモーター５のスイッチが入る。傘１０をゆっくりと回転させる。エアーがエアー噴射口１から噴射され、傘１０表面の水滴を除去する。その際に雨水は飛散防止ガイドによって外部に飛散しない。傘１０の先端を傘差込ガイド３から外すと、プレッシャーモーター５のスイッチは切れ、エアーの噴射が停止する。【選択図】図３
2010012195.tif 000002
【特許請求の範囲】
【請求項１】
傘の先端を傘挿入ガイドに挿入すると、プレッシャーモーターが作動し、エアーがエアー噴射口から噴射される。
【請求項２】
エアー噴射口は、傘の表面に対し垂直ではなく角度をつけ、効率よく水滴を除去できる仕様とする。
【請求項３】
水滴を除去する際に雨水が飛散しないように、飛散防止ガイドを設ける。
【発明の詳細な説明】
【技術分野】
【０００１】傘を装置に設置し軽く回転させる簡単な操作で、プレッシャーエアーによって短時間で水滴を除去することが可能。【０００２】傘の先端を装置の差込口に差し込むだけで、スイッチが入り誰でも簡単に使用できる。【０００３】装置には水滴の飛散防止も設置している為、周囲に水滴が飛散しない。
【背景技術】
【０００４】傘の水滴がこぼれないようにする為に最も一般的な方法は、ビニール袋を使用している。また、傘を折りたたんだ状態で、傘を回転させ水滴を除去している。
【発明の開示】
【発明が解決しようとする課題】
【０００５】雨水のついた傘を収納する為のビニール袋を使用せず、環境に優しい。【０００６】傘を開いた状態で水滴を簡単に除去できる。
【課題を解決するための手段】
【０００７】水滴の付着した傘を軽く回転させ、エアープレッシャーによって、水滴を除去する。【０００８】水滴を除去する際に、雨水が飛散しないようガイドを設ける。【０００９】傘の設置は、先端を差込口に挿入するだけでスイッチが入り簡単に使用できる。
【発明の効果】
【００１０】ビニール袋を使用せずに、環境に優しい。【００１１】誰でも簡単に使用でき、短時間で傘に付着した水滴を除去できる。
【実施例１】
【００１２】１）傘を開いた状態で、傘差込ガイド（図３の３）に傘の先端を挿入すると、センサースイッチ（図３の４）が働き、プレッシャーモーター（図３の５）のスイッチが入る。
２）傘をゆっくりと回転させる。
３）エアーがエアー噴射口（図３の１）噴射され、傘表面の水滴を除去する。その際に雨水は飛散防止ガイド（図１の２）によって外部に飛散しない。
４）傘の先端を傘差込ガイドから外すと、プレッシャーモータースイッチは切れ、エアーの噴射が停止する。
【図面の簡単な説明】
【００１３】
【図１】傘の水滴除去エアージェットクリーナーの正面図である。
【図２】Ａ断面図である。
【図３】Ｂ断面図である。
【符号の説明】
【００１４】  １  エアー噴射口
２  飛散防止ガイド
３  傘差込ガイド
４  傘挿入センサースイッチ
５  プレッシャーモーター
６  エアー通気溝
７  水滴溜め溝
８  排水ホース
９  前面飛散防止ガイド
１０  傘
【図１】
2010012195.tif 000003
【図２】
2010012195.tif 000004
【図３】
2010012195.tif 000005
(57)【要約】【課題】囲碁の道具（碁盤と碁石）の紛失を防ぎ、持ち運びしやすくするために碁石にあたる部分を碁盤に付けた一体型囲碁盤を提供する。【解決手段】碁盤上の縦線と横線の交点１つずつを交点の面、黒石の面、白石の面の３つの面を回転させることにより表現することを特徴とする。【選択図】図３
2010012193.tif 000002
【特許請求の範囲】
【請求項１】
碁盤上の縦線と横線の交点３６１個（１９×１９）の地点一つずつを、それぞれ縦線と横線の交点の面、黒石の面、白石の面の３つの面を回転させることにより表現し、碁石にあたる部分を碁盤に付けた一体型囲碁盤。
【発明の詳細な説明】
【技術分野】
【０００１】この発明は、囲碁の道具である碁石に当たる部分と碁盤をひとつに合わせた一体型囲碁盤に関するものである。
【背景技術】
【０００２】従来の持ち運び用の囲碁の道具は、碁石と碁盤が別々に存在していた。
【発明の開示】
【発明が解決しようとする課題】
【０００３】これは次のような欠点があった。
（イ）碁石と碁盤が分離しているため、持ち運びしにくかった。
（ロ）碁石を紛失することが多かった。
本発明は、以上のような欠点をなくすためになされたものである。
【課題を解決するための手段】
【０００４】碁盤上の縦線と横線の交点３６１個（１９×１９）の地点一つずつを、それぞれ縦線と横線の交点の面、黒石の面、白石の面の３つの面を回転させることにより表現する。
例として、碁盤（３）上の
地点（１）を、黒番の人の指（４）が交点の面から黒石の面に、
地点（２）を、白番の人の指（５）が交点の面から白石の面に、
回転させていることをあらわしている。
本発明は、以上の構成よりなる一体型囲碁盤である。
【発明の効果】
【０００５】碁石にあたる部分が碁盤と一体化しているので、紛失を防ぐことができる。
囲碁の道具が持ち運ばれることが多くなり、楽しまれる機会が増える。
【発明を実施するための最良の形態】
【０００６】以下、本発明を実施するための最良の形態について説明する。
碁盤を複数（ここでは４つ）に等分化し、スライドして重ねることにより一層持ち運びしやすくなる。
例として、碁盤を（６）、（７）、（８）、（９）に４分割し、（６）を（７）の上に、それを（８）の上に、そして（９）の上へと重ねていく。
本発明は、以上のような構造で使用するとより携帯しやすくなる。
【図面の簡単な説明】
【０００７】
【図１】（地点１，２が回転する前の）碁盤の全体の斜視図である。
【図２】本発明の実施例で、地点１，２での使用状態を示した拡大図である。
【図３】本発明の実施例で、地点１，２での使用状態を示した拡大図である。
【図４】（地点１，２が回転した後の）碁盤の全体の斜視図である。
【図５】碁盤を４等分にし、収納する前の様子を示した斜視図である。
【図６】碁盤を収納している様子を示し、碁盤ＡをＢの上にのせている斜視図である。
【図７】碁盤を収納している様子を示し、碁盤Ａをスライドして、Ｂに重ねた斜視図である。
【図８】碁盤を収納している様子を示し、碁盤Ａ・ＢをＣの上にのせている斜視図である。
【図９】碁盤を収納している様子を示し、碁盤Ａ・Ｂをスライドして、Ｃに重ねた斜視図である。
【図１０】碁盤を収納している様子を示し、碁盤Ａ・Ｂ・ＣをＤの上にのせている斜視図である。
【図１１】碁盤を収納している様子を示し、碁盤Ａ・Ｂ・Ｃをスライドして、Ｄに重ねた斜視図である。
【符号の説明】
【０００８】１  地点１
２  地点２
３  碁盤
４  黒番の人の指
５  白番の人の指
６  碁盤を４等分にしたうちの１つ碁盤Ａ
７  碁盤を４等分にしたうちの１つ碁盤Ｂ
８  碁盤を４等分にしたうちの１つ碁盤Ｃ
９  碁盤を４等分にしたうちの１つ碁盤Ｄ
【図１】
2010012193.tif 000003
【図２】
2010012193.tif 000004
【図３】
2010012193.tif 000005
【図４】
2010012193.tif 000006
【図５】
2010012193.tif 000007
【図６】
2010012193.tif 000008
【図７】
2010012193.tif 000009
【図８】
2010012193.tif 000010
【図９】
2010012193.tif 000011
【図１０】
2010012193.tif 000012
【図１１】
2010012193.tif 000013
(57)【要約】      （修正有）【課題】在宅介護を被介護者はもとより介護者の立場からみて、介護するのに高齢者であっても楽に一人で介護可能な介護用ベットを提供する。【解決手段】ベットの四隅の支柱１を上部に延長し、この上に電動クレーン１８の走行レール２、横行レール１５を設置し電動クレーン１８を取り付ける。ベットはクレーン１８が装備されているので、ベットの背上げ、足上げ、ベットの横転に他の油圧機構、電動アクチュエータを一切必要としないで、クレーン１８一つで操作可能なベットの背上げ、足上げ、衣類の着せ替えと移動用の吊り具装着のための身体の反転、ベットから車椅子、ポターブルトイレ、浴槽への移動が一人作業できるクレーン付き介護ベット。【選択図】図１
2010012203.tif 000002
【特許請求の範囲】
【請求項１】
介護用ベットの四隅の支柱を延長しこの上部にクレーン用の走行レール、横行用レールを備え、電動クレーンを装備したクレーン付き介護用ベット。
【請求項２】
電動クレーンでベットの頭部を上昇さっせると、背上げ、足上げが連動しベットの形状を変化することができるベット構造。（別途電動又は油圧アクチュエーターを付けてもよい）
【請求項３】
ベット左右の片方を電動クレーンで上昇させると、ベットを左右に横転するこが出来るベット構造。（別途電動又は油圧アクチュエーターを付けてもよい）
【発明の詳細な説明】
【技術分野】
【０００１】図１に示すように、介護用ベットに天井走行電動クレーンを備えたベット。
【背景技術】
【０００２】図６で示すように介護ベットと移動用クレーン装置はそれぞれ別個に製作販売されている。設置スペース等が考慮されていない、別個に製作されているので高価で使いがってが悪く広い設置スペースが必要である。
【発明の開示】
【発明が解決しようとする課題】
【０００３】現在の介護用ベットは背上げ、足上げ程度で介護者の手助けになっていない、在宅介護が今後増加するなかで、介護者（特に老齢者、介護センターの若い労働者）の負担の少ない介護ベットを提供することを課題とする。
【課題を解決するための手段】
【０００４】被介護者に必要な事項（１）ベットの背上げ、足上げ機能。
介護者に必要な事項  （１）被介護者の移動機能（車椅子、ポータブルトイレ、浴槽）。
（２）被介護者の衣服の交換時、移動用吊具装着の補助機能。
【発明の効果】
【０００５】図１に示すような構造とすることにより、普通のベットと同じ床面積で、ベットの背上げ、足上げ作業、介護者の重労働である車椅子、ポータブルトイレ、浴槽への被介護者の移動、衣服の交換作業等が一人で楽に行えるようになった。
【発明を実施するための最良の形態】
【０００６】発明の一実施形態を、図１に示す。
一般介護機能（背上げ、足上げ）を持ったベットの四隅の１支柱を上部に延長し、この上に電動クレーンの２走行レール、１５横行レールを設置し１８電動クレーンを取り付ける（走行、横行は手動となる）。このクレーンで被介護者の移動機能が満足される。このベットはクレーンが装備されているので、ベットの背上げ、足上げ、ベットの横転に他の油圧機構、電動アクチュエータを一切必要としないで、クレーン一つで操作可能なベット機能に改善した。
（それぞれの作動に別個に油圧機器、電動アクチュエータ等を備えても良い。）
１）背上げ、足上げ機能
図３に示すようにベット床は四分割し２０兆番でそれぞれ連結し９車輪を三組と１２ストッパを三組装着されている。このベット床が１３ベットスライドフルームに乗っている。背上げ、足上げが連動するように１０アームがベット床に取り付け、これを１１連結ロッドで接続されている。８背上げ用フック金具をクレーンで上方に引き上げると背上げと足上げが連動して動く。
２）ベットの横転機能
ベット床が乗った１３ベットスライドフレームの１４横転用フック金具の左右の一方をクレーンで引き上げるとベットは３半割回転軸受けを回転中心として横転す。
これにより被介護者の衣服の交換、吊り上げ移動時の１９被介護者吊具の装着を容易にすることが出来る。
【実施例】
【０００７】上記実施形態は製作しやすいように全ての材料は建築足場用の鉄製丸パイプと接続金具を使用した場合を示した。製品の運搬搬入、組立が容易になっている。外観を良くするため角パイプ、形鋼を使用してもよい。
使用しなくなった不要ベットの処理は廃棄ゴミでなく再利用も出来るし、ボルトをはずして分解すれば鉄鋼の素材になる。
【産業上の利用可能性】
【０００８】在宅介護、介護センター等でこのクレーン付き介護ベットを使用することにより介護者が老人でも可能になる。介護者の環境が改善されず、せっかく若い人が介護士になっても辞めていく現状が改善される。また介護に数人かかっていた作業も全て一人作業になり在宅介護が推進され、かつ介護費用が低減することが期待出来る。
【図面の簡単な説明】
【０００９】
【図１】  全体組立図
【図２】  全体機構図
【図３】  背上げ、足上げ機構図
【図４】  ベット横転機構図
【図５】  吊り上げ移動機構図
【図６】  市販されている介護用機器を示す
【符号の説明】
【００１０】  １  支柱（ベット枠）
２  走行レール（ベット枠）
３  半割回転軸受け
４  ベット床板１
５  ベット床板２
６  ベット床板３
７  ベット床板４
８  背上げ用フック金具
９  車輪
１０  アーム
１１  連結ロッド
１２  ストッパ
１３  ベットスライドフレーム
１４  横転用フック金具
１５  横行レール
１６  横行ローラ
１７  走行ローラ
１８  電動クレーン
１９  被介護者吊具
２０  兆番
【図１】
2010012203.tif 000003
【図２】
2010012203.tif 000004
【図３】
2010012203.tif 000005
【図４】
2010012203.tif 000006
【図５】
2010012203.tif 000007
【図６】
2010012203.tif 000008
(57)【要約】      （修正有）【課題】介護される病人がベッドの手すりでけがや死亡を防止するために介護ベッド手すり用保護具を提供する。【解決手段】長方形状の本体１の上部にフック２を設け、本体１の上側の中央部にテーブル設置用の隙間４を設ける。介護ベッドの金具の手すりのすき間を保護具で覆ったことにより首や手を挟んでの死亡やけが等の事故を防止できる。【選択図】図１
2010012204.tif 000002
【特許請求の範囲】
【請求項１】
長方形状の本体（１）の上部にフック（２）を設けたことを特徴とする介護ベッド手すり用保護具。
【発明の詳細な説明】
【技術分野】
【０００１】  本発明は、介護される病人がベッドの手すりの金具の隙間に首や手を挟まれないようにするために、介護ベッドの手すりを保護具で覆ったことを特徴とした介護ベッド用手すり保護具に関するものである。
【背景技術】
【０００２】  従来、介護ベッド用の手すりは金具でできており、その隙間に首や手を挟んだり、おむつ交換の際に、ヘルパーに金具に体を押し付けられたりしていた。
【発明の開示】
【発明が解決しようとする課題】
【０００３】  そのために、次のような問題点があった。
隙間に首や手を挟まれて死亡したり、けがをしていた。
本発明は以上の問題点を解決しようとするものである。
【課題を解決するための手段】
【０００４】  長方形状の本体（１）の上部にフック（２）を設ける。
以上のように構成された介護ベッド手すり用保護具である。
【発明の効果】
【０００５】  本発明は、介護ベッドの金具の手すりのすき間を保護具で覆ったことにより首や手を挟んでの死亡やけが等の事故を防止できる。
【発明を実施するための最良の形態】
【０００６】  以下、本発明の実施の形態を説明する。
長方形状の本体（１）の上部にフック（２）を設ける。
本体（１）は、横長の長方形状の素材にする。
本発明は、以上の構成よりなっている。
本発明を使用する時は、本体（１）を手すり（３）に引っ掛けて設置する。
【図面の簡単な説明】
【０００７】
【図１】  本発明の介護ベッド手すり用保護具の斜視図
【図２】  本発明の通常の介護ベッド手すりの斜視図
【図３】  本発明の介護ベッド手すり用保護具使用時の斜視図
【図４】  本発明の介護ベッド手すり用保護具断面図
【符号の説明】
【０００８】  １  本体
２  フック
３  手すり
４  ベッド
５  すき間（危険ゾーン）
【図１】
2010012204.tif 000003
【図２】
2010012204.tif 000004
【図３】
2010012204.tif 000005
【図４】
2010012204.tif 000006
(57)【要約】【課題】  従来のぶら下がり健康機は、棒に直接ぶら下がるため、体重がそのまま手にかかり十分効果を得られなかった。急に重量がかかるため、関節を痛めた。子供や老人には腕力がないためうまくぶら下がれなかった。降りるときに、足に全体重がかかるため、足を痛めやすかった。  本発明は、以上のような欠点をなくすためになされたものである。【解決手段】  表面を滑りやすくしたすべり板の上部に、平行になるように棒状のものを設け、すべり板の下部に振動版を設置する。そのすべり板を固定するために、接地固定具を設けた２本の棒状のものを平行に設置し、その２本の棒に直角に接するようにすべり板を立てかけるための棒を設けた。【選択図】図１
2010012209.tif 000002
【特許請求の範囲】
【請求項１】
表面を滑りやすくしたすべり板の上部に、平行になるように棒状のものを設け、すべり板の下部に振動版を設置し、そのすべり板を固定するために、接地固定具を設けた２本の棒状のものを平行に設置し、その２本の棒に直角に接するようにすべり板を立てかけるための棒を設けたぶら下がり健康機である。
【発明の詳細な説明】
【技術分野】
【０００１】  この発明は、すべり板の上にぶら下がることにより、背筋や手足の関節を伸ばすことができるぶら下がり健康機に関するものである。
【背景技術】
【０００２】  従来、鉄棒にぶら下がることにより背筋を伸ばすものがあった。また、腋の下で体を支えて、腕力のない人でもできるものがあった。（特許文献１参照）。
【特許文献１】特許公開２０００−３００６９２号公報
【発明の開示】
【発明が解決しようとする課題】
【０００３】  これは、次のような欠点があった。
従来のぶら下がり健康機は、棒に直接ぶら下がるため、体重がそのまま手にかかり十分効果を得られなかった。
急に重量がかかるため、関節を痛めた。
子供や老人には、腕力がないためうまくぶら下がれなかった。
降りるときに、足に全体重がかかるため、足を痛めやすかった。
本発明は、以上のような欠点をなくすためになされたものである。
【課題を解決するための手段】
【０００４】  ボールを敷き詰めた箱に、ボールを固定し回転させるための穴を開けた板を上からはめ込むことにより表面を滑りやすくしたすべり板に、平行になるように棒状物を設け、すべり板の下部に振動版を設置する。そのすべり板を固定するために、接地固定具を設けた２本の棒状物を平行に設置し、その２本の棒に直角に接するようにすべり板を立てかけるための棒を設けた。
本発明は、以上の構成よりなるぶら下がり健康機である。
【発明の効果】
【０００５】  従来握力が弱くてぶら下がることができなかった老人や子供でも、自分の体力に合わせて、すべり板の角度を変えることにより負荷を調整し、体力に合わせて効果を得ることが出来る。
また、足元の振動装置を使用することにより、体全身を振動さればより効果を得ることができる。
【発明を実施するための最良の形態】
【０００６】  以下、本発明を実施するための最良の形態について説明する。
（イ）表面を滑りやすくしたすべり板（１）の表面上を横断するように円柱形のもち手棒（２）を設ける
（ロ）垂直なるように固定具（６）をつけた２本の支柱（３）を設け、間隔をあけて水平に支え棒（４）設ける。
（ハ）すべり板（１）の下部に振動装置（５）を設ける。
本発明は、以上のような構造である。
これを使用するときは、２本の支柱（３）の間に横たえた支え棒（４）に、すべり板（１）を載せる、  その際、支え棒（４）の高さを調整することにより、すべり板（１）の角度を変えて、自分の体力に合うように負荷を調整したすべり板（１）の上に体を載せて持ち手棒（２）をにぎり体を支える。そして、足元の振動装置（５）に足を固定して、振動させることにより、体全体に振動が伝わる。
【図面の簡単な説明】
【０００７】
【図１】本発明の斜視図（全体図）
【図２】本発明の構造部品斜視図
【図３】本発明のすべり板構造図
【符号の説明】
【０００８】（１）すべり板、（２）もち手棒、（３）支柱部、（４）支柱、（５）支え棒  （６）支柱固定具、（７）回転ボール、（８）振動装置部、（９）振動用モーター  （１０）足元固定用ベルト、（１１）回転ボール、（１２）ボール固定用板  （１３）ボール固定用箱
【図１】
2010012209.tif 000003
【図２】
2010012209.tif 000004
【図３】
2010012209.tif 000005
(57)【要約】【課題】  高齢者のボケ防止のため又，脳に障害があり指や手首の不自由な方々に少しでもお役にたてられるような草引きパズルを作るのが目的である。【解決手段】  本体（１）Ａ（７）Ｂ（８）の盤上に様々な型をした型穴（３）を作った，この型穴（３）に合った型棒（２）を差し込み，ひっこ抜くこのトレーニングは型穴（３）の形ちが○１種類でもできるが様々な型穴（３）にしたことでトレーニングに妙味が出た。その上，本体の（１）Ａ盤（７）Ｂ盤（８）の対面を変えられることで尚おもしろい。  型棒（２）の下部に磁石（４）を取り付けた本体（１）の底に鉄板（５）を敷こんで磁石（４）の効果を出した。鉄板（５）は本体（１）前面の下部から取り出すと磁石（４）の効果が無効となり力の足りない人にも利用できるようになした草引きパズルである。【選択図】図１
2010012207.tif 000002
【特許請求の範囲】
【請求項１】
本体（１）に作った様々な形をした型穴（３）に差し込んだ様々な型をした型棒（２）の下部に磁石（４）を取り付け本体（１）の庭に敷きこんだ鉄板（５）によって磁石（４）の効果が現れ指や手首のリバビリが強化され本体（１）を２分しているＡ盤（７）Ｂ（８）ともに少し手で持ちあげ，回転さすと体面がガラリと変わり型穴（３）の位置も変わり頭の体操も強化される。
【発明の詳細な説明】
【発明の詳細な説明】
【発明に属する技術分野】
【０００１】  本発明は指や手首のリバビリそして脳トレーニングに関するものである。
【背景技術】
【０００２】  従来のトレーニング用品には数字駒を指先で移動させたり百マス計算式のものがある（特許文献１参照）
特許公開２００７−３２５８９４【０００３】  本発明は，その欠点を無くするため本体（１）の底に鉄板（５）を敷込み磁石（４）のついた型棒（２）を抜き取るには何らかの力を加えねば抜き取れないようにしたので指や手首の運動に効果を増し尚本体（１）のＡ盤（７）Ｂ盤（８）を大枠（９）から少し手で持ち上げ盤の体面をガラリと変えることで脳トレーニングにはづみつくことを課題として研究を進めた。
【課題を解決するための手段】
【０００４】  ある程度の力を必要とするためには，磁石（４）の使用が最適である。しかし，ある程度の力を出せない人には本体（１）の底に敷こんである鉄板（５）を本体（１）前面下部から引き出せば磁石（４）の効果が無効となり，ある程度の力も出せない人でも使用可能である。
【発明を実施するための最良の形態】
【０００５】  本発明を実施するため最初は本体（１）となる板に様々な形をした型穴（３）を５０穴作った５種×１０穴，次にこの型穴（３）にに合った型棒（２）を２５本作った５種×５棒，型棒（２）の下部には磁石を取り付けた次に本体（１）の盤を左右半分に仕切り分けた左をＡ盤（７）右をＢ盤（８）とした，そして本体（１）の底には少し重みのある鉄板（５）を敷こんだ。なぜなら型棒（２）を引っこ抜いた時に本体（１）が持ち上がらないためである。先ずＡ盤（７）に型棒（２）を２５本立てた。そしてそれを今度は，右側Ｂ盤（８）に立て変えた両盤共に様々な形をしているので，少しは手間どるが面白い今度はＢ盤（８）からＡ盤（７）へと逆の移し替えを繰り返す，そしてこの両盤を固定さすために大枠（６）を作った，そして全体を包む蓋（９）を作った。そして，最後に型棒（２）に草の絵を書いた。
【発明の効果】
【０００６】  本発明は以上のような構成だから指や手首の運動になり頭の体操にもなる優れた草引きパズルである。草引きは長命の作業とも聞いているその原理を応用したものである。
【０００７】  型棒（２）の下部には磁石（４）を取り付け本体（１）の底には鉄板（５）を敷込み磁石（４）の効果を引き出すことで抜き取り時の手応えを感じる。
【０００８】  様々な型穴（３）に様々な型棒（２）を作り尚Ａ盤（７）Ｂ盤（８）を対面を変えることで頭の体操を増しトレーニングに満足感が得られる。
【図面の簡単な説明】
【０００７】
【図１】  本発明の実施形態を示す草引きパズルの平面図
【図２】  さまざまな型棒（２）の正面図
【図３】  草引きパズルを全体的に見た外観図
【符号の説明】
【０００８】  １  本体
２  型棒
３  型穴
４  磁石
５  鉄板
６  大枠
７  Ａ盤
８  Ｂ盤
９  蓋
１０  鉄板出入口
【図１】
2010012207.tif 000003
【図２】
2010012207.tif 000004
【図３】
2010012207.tif 000005
(57)【要約】      （修正有）【課題】介護される病人がベッドの手すりの金具の隙間に首や手を挟んでけがや死亡することを防止するために手すり安全補助具を提供する。【解決手段】横長の長方形状で表面が柔らかくクッション性のある素材からなる、長方形状の本体１の片面に複数個の凹部２と接着面３を設け、介護ベッド本体の脇に設置された金属の手すりの表面をすき間なく覆い、従来の手すりのように簡単に取り外しできるようにしながら、手すりの幅を拡張した。【選択図】図１
2010012205.tif 000002
【特許請求の範囲】
【請求項１】
長方形状の本体（１）の片面に複数個の凹部（２）と接着面（３）を設けたことを特徴とした手すり安全補助具。
【発明の詳細な説明】
【技術分野】
【０００１】  本発明は、介護される病人がベッドの手すりの金具の隙間に、首や手を挟まれないようにするための、ベッドの金属の手すりの表面を柔らかいクッション性のある素材にして隙間なく覆い、手すりの幅を拡張したことを特徴とする手すり安全補助具に関するものである。
【背景技術】
【０００２】  従来、介護ベッド用の手すりは金具でできており、その隙間に、首、手を挟んだり、おむつ交換の際、ヘルパーに金具に体を押し付けられたりしていた。
【発明の開示】
【発明が解決しようとする課題】
【０００３】  そのために、次のような問題点があった。
（イ）隙間に首や手を挟まれて、死亡したり、怪我をすることがあった。
（ロ）金具に体を押し付けられることで苦痛を強いられていた。
本発明は以上の問題点を解決しようとするものである。
【課題を解決するための手段】
【０００４】  長方形状の本体（１）の片面に複数個の凹部（２）と接着面（３）を設ける。
以上のように構成された手すり安全補助具。
【発明の効果】
【０００５】  本発明は、介護ベッドの手すりを柔らかくクッション性のある素材にして隙間をなくし幅を拡張することで首や手を挟んでの死亡やけが等の事故を防止する。
【発明を実施するための最良の形態】
【０００６】  以下、本発明の実施の形態を説明する。
長方形状の本体（１）の片面に複数個の凹部（２）と接着面（３）を設ける。
本体（１）は、横長の長方形状で表面が柔らかくクッション性のある素材である。
ベッド本体（４）と内部手すり（５）からなる介護ベッド安全手すり（Ａ）、介護ベッド安全手すり（Ｂ）をベッド脇の設置箇所に設置する。
本発明は、以上の構成よりなっている。
本発明を使用する時は、従来のベッド手すり（２）を本体で挟んで接着する。
介護ベッド安全手すり（Ａ）、介護ベッド安全手すり（Ｂ）をそれぞれ上に持ち上げて、従来の手すりのように簡単に取り外しできる。
介護ベッドの金属の手すりの表面を柔らかいクッション性のある素材にしてすき間なく覆い、手すりの幅を拡張したことを特徴とする手すり安全補助具である。
【図面の簡単な説明】
【０００７】
【図１】  本発明の斜視図である。
【図２】  本発明の使用状態を説明した斜視図である。
【図３】  本発明の上から見た説明図である。
【図４】  本発明の断面図である。
【符号の説明】
【０００８】  １  長方形状の本体
２  凹部
３  接着面
４  ベッド本体
５  内部手すり
Ａ  介護ベッド安全手すり
Ｂ  介護ベッド安全手すり
【図１】
2010012205.tif 000003
【図２】
2010012205.tif 000004
【図３】
2010012205.tif 000005
【図４】
2010012205.tif 000006
(57)【要約】【課題】病人やけが人など、寝たきりの人がうがいをする時、うがい終わった汚れた水を吐き出す際、下を向けない為口の周りや首が濡れず、また、口に入れる水の容器と、吐き出す為の容器の二つを一つにまとめたうがい器を提供する。【解決手段】水の入った容器（Ａ）と、うがいし終わって吐き出す為の容器（Ｂ）に、弁の付いた二股に分かれたストロー（Ｄ）の（１）を容器（Ａ）に、（２）を容器（Ｂ）に差し込む事により、一本のストローで、吸い込むと綺麗な水が口の中に入り、吐き出すと空の容器に水が出るようにした。また二つの容器を（Ｃ）のケースに入れることにより、まとめて固定出来るようにした。容器の中を洗い易い様に、容器のキャップを取り外せるようにした。【選択図】図１
2010012201.tif 000002
【特許請求の範囲】
【請求項１】
二つの弁が付いた下が二股に分かれたストローを、空の容器と、水の入った容器にそれぞれ一本ずつ差し込む事により、ストローを吸うと、うがいをする綺麗な水が口の中に出て来て、うがいが終わってストローに吐き出すと、空の容器に入るようにした、寝たままで、うがいを終わった水を吐き出すとき、口の周りが汚れない様にしたうがい器です。
【発明の詳細な説明】
【技術分野】
【００１】本発明はベッドから起き上がれない人の為に、横になったままでうがいをしても、吐き出す時に、あごや首が濡れないよう、また、１本のストローで吸い込み・吐き出しが出来るよう考案したうがい器である。
【背景技術】
【００２】（１）従来は寝たままでうがいをする時、吐き出す時にあごや首に、うがいし終わった汚い水が廻り、不潔だった。
（２）綺麗な水を入れる容器と吐き出す容器が必要だった。
【発明の開示】
【発明が解決しようとする課題】
【００３】（１）寝たままで起き上がれない人が、うがいをし終わって、汚れた水を吐き出す時、下を向けない為従来の受け皿では全部の水が受け皿に入らずに、首にまわったり、あごが濡れて汚れるので、拭き取らなくてはならなかったし、不潔だった。
（２）最初の綺麗な水は、吸い飲み等を使用して、吐き出す時は幅の広い受け皿等を使用し、それぞれの容器を用意しなければならなかった。
本発明はこれらの欠点を解決する為になされた物です。
【課題を解決するための手段】
【００４】取り外しの出来る綺麗な水の入った容器（Ａ）と、やはり取り外しの出来るうがいし終わった汚れた水が入る空の容器（Ｂ）を、隣り合わせに固定できるようにしたケース（Ｃ）に取り付け、二股に別れた弁の付いたストロー（Ｄ）の（１）の先を容器（Ａ）の穴に差し込み、（２）の方を容器（Ｂ）の穴へ差し込む。
このストロー（Ｄ）の（３）を吸うと容器（Ａ）より綺麗な水が口の中に吸い上げられ、うがいをして、またストローに吐き出すと容器（Ｂ）の方へ出るようにした。また自由な角度で（３）が口に入れられるように（４）が蛇腹にしてある。
本発明は以上の構成よりなるうがい器である。
【発明の効果】
【００５】横になったままでも、一本のストローで吸い込む・吐出しが出来、吐き出すときに下を向けない為、口から直接吐き出した汚れたうがい水で、口の周りが濡れなくなった。
【発明を実施するための最良の形態】
【００６】  以下、本発明の実施の形態について説明する。
（イ）取り外しの出来る綺麗な水を入れるための容器（Ａ）と、取り外しの出来るうがいし終わった汚れた水が入る容器（Ｂ）の二つの容器がある。
（ロ）（Ａ）の方にはうがいをする綺麗な水を入れ、（Ｂ）の方には何も入れない。この容器は水を入れたり、中を洗ったりしやすいようにキャップが外せるようにしてあるので、（Ｅ）・（Ｆ）のキャップをそれぞれ締める。
（ハ）（イ）の容器（Ａ）と容器（Ｂ）を、隣り合わせに固定できるようにしたケース（Ｃ）に取り付け、二股に別れた弁の付いたストロー（Ｄ）の（１）の先を容器（Ａ）の口に入れ、（２）の方を容器（Ｂ）の方へ差し込む。
（ニ）弁の付いたストロー（Ｄ）は、（図３）に示すように、吸い上げる管の入り口・吐き出す管の出口、共にそれぞれ（ａ）・（ｂ）の弁が付いていて、吸う時は（図３）のように（ａ）の弁が開き、（ｂ）の弁は閉じる。又、出す時は（図４）のように（ａ）の弁が閉じ、（ｂ）の弁は開き、流れを変えるようになっている。
（ホ）ストロー（Ｄ）の（図２）の（３）を吸うと容器（Ａ）より綺麗な水が口の中に吸い上げられ、うがいをして、またストローに吐き出すと容器（Ｂ）の方へ出るようにした。（図２）の（Ｅ）と（Ｆ）のキャップには水の出入りによる容器の中の気圧変化をなくす為、それぞれ（５）の空気穴が開けてある。また、（図２）の（Ｄ）の（４）が蛇腹になっている為、自由な角度で（３）が口に入れられるようにしてなっている。
【産業上の利用可能性】
【００７】寝たきりの老人の多くなってきた現在、産業上の利用必要性はあると思われます。
【図面の簡単な説明】
【００８】
【図１】うがい器全体を示した斜視図である。
【図２】うがい器を構成している部品（Ａ），（Ｂ），（Ｃ），（Ｄ），（Ｅ），（Ｆ）の６点を、分解した図面である。
【図３】吸い込んでいる時の弁付きストローを拡大した断面図である。
【図４】吐き出している時の弁付きストローを拡大した断面図です。
【符号の説明】
【００９】（Ａ）  うがいをする綺麗な水を入れる容器
（Ｂ）  うがいして吐き出した水が入る容器
（Ｃ）  （Ａ）・（Ｂ）二つの容器を固定するケース
（Ｄ）  （Ａ）・（Ｂ）の容器の中に差し込む弁付きストロー
（Ｅ）  ストローを通す為の穴が中央に開けてある容器（Ａ）のキャップ。
このキャップには水の出入りによる気圧変化が起こらぬように空気穴（５）が開けてある。
（Ｆ）  ストローを通す為の穴が中央に開けてある容器（Ｂ）のキャップ。
このキャップにも（Ｅ）同様空気穴（５）が開けてある。
（ａ）  綺麗な水の「入・断」を決める弁
（ｂ）  うがいし終わった水の「出・断」を決める弁
（１）  （Ｄ）に付いている（Ａ）の容器に差し込む管
（２）  （Ｄ）に付いている（Ｂ）の容器に差し込む管
（３）  （Ｄ）に付いている口に入れる吸い込み口
（４）  良い角度で口に入れられるように蛇腹になっている。
（５）  容器（Ａ）と容器（Ｂ）のキャップに開けてある空気穴
【図１】
2010012201.tif 000003
【図２】
2010012201.tif 000004
【図３】
2010012201.tif 000005
【図４】
2010012201.tif 000006
(57)【要約】【課題】  従来，表面処理工程では，浸漬方式かもしくは噴射方式で，被加工物を表面処理しているが，主流は浸漬方式である．  課題は，両方式ともに多く，特に主流の浸漬方式に課題が多いが，噴射方式にも薄膜化・時間短縮という課題があることや，浸漬方式が容易で濡れに対して安心であることなどから，高精度で加工面・環境面ともにムダの少ない噴射方式への移行が進んでいない．  本発明では，被加工物を回転させることで，噴射方式の薄膜化および時間短縮という課題を解決し，噴射方式の対象部品を拡大する．  そしてそのことで，浸漬方式で非効率に表面処理されている部品の多くを噴射方式に変更し，表面処理工程全般の課題を抜本的に解決するものである．【解決手段】  回転装置（１）によって被加工物（２）を回転させる．【選択図】図１
2010012452.tif 000002
【特許請求の範囲】
【請求項１】
被加工物を回転する機能を有する表面処理装置
【発明の詳細な説明】
【技術分野】
【０００１】  本発明は，表面処理加工（めっき・塗装・化成処理・研磨・洗浄・乾燥・熱処理など）の際に，被加工物を回転させることに関するものである．
【背景技術】
【０００２】  従来，表面処理方式は，以下の２方式に大別される．
１．浸漬方式：加工材料やその溶液に浸漬させたり，雰囲気内を通過させる．
２．噴射方式：加工材料を液体や気体と混合し，加圧するなどして噴射する．
被加工物の動作は，いずれの場合も，バレル・カゴなどの容器中で攪拌されるかもしくは，治具に固定され２次元動作されている．
【発明の開示】
【発明が解決しようとする課題】
【０００３】１．浸漬方式の課題
▲１▼不必要面への表面処理が，材料・エネルギーなどの加工のムダを発生させている．また前工程で高精度加工済みの表面を表面処理せざるを得ず，表面処理前の精度への再加工のムダも発生している．部品によっては，これらのムダが加工コストの９０％を超える．
▲２▼めっき処理中に発生するガスの悪影響により界面が遮断され，寸法精度（膜厚）などが不均一となる．これ以外にも，表面処理中の界面条件の差異が及ぼす品質への悪影響が多大である．
▲３▼被加工物に残留する溶液等が，寸法精度（膜厚）不均一化を招くばかりか，時には溶液のタレ・たまり跡が外観性にまで悪影響を及ぼす．
▲４▼被加工物に残留する溶液等は，後工程の洗浄工程等の溶液を劣化させ，溶液使用量・排水の無害化処理量・廃水放流量等を連鎖的に増加させ，コスト負担・環境負荷を招いている
２．噴射方式の課題
▲１▼薄膜化：表面材料を液体や気体等と混合し，高圧で噴射するためである．
▲２▼時間短縮：浸漬方式と比較しロット処理が困難でありまた，被加工物への噴射ノズルのハンドリングなどが困難であるからである．
【課題を解決するための手段】
【０００４】  回転装置（１）によって被加工物（２）を回転させる．
【発明の効果】
【０００５】  本発明により上記の課題は全て解決する．
中でも，２．の噴射方式の課題の▲１▼薄膜化および▲２▼時間短縮を，被加工物の高速回転化で容易に解決できることの効果が，絶大である．
なぜなら噴射方式の対象部品拡大が図れ，浸漬方式で非効率に表面処理されている部品の多くを，噴射方式に変更でき合理化できるからである．
つまり，噴射方式の課題を解決することが，表面処理工程全般の課題を抜本解決することに直結するのである．
実際に，量産されている部品で試作・評価した結果を，以下に例示する．
■部品名称：自動車自動変速機用油圧保持部品
■対象表面：後工程でオイルシールゴムを接着（加硫プレス）する全表面積のうちの約１０％、
■付与機能：接着剤塗布によるゴム接着機能
■出荷数量：約１３０万個／月（対象サプライヤー１社のみが対象）
■部品出荷金額：約６０億円  （同上）
■効果概要：本発明の実用化とノズル塗布方式の組み合わせで，被加工物の必要面のみへ，接着剤を高速塗布することが可能となり，従来と比較して，●加工時間を７０％削減，●材料使用量を９５％削減，●Ｖ．Ｏ．Ｃ発生量を９５％削減，●廃棄溶液１００％削減，●エネルギー使用量６０％削減，これら製造費用に加え，●管理費も含めて大幅な経営費用低減が図れる．●品質面でも塗膜が均一化し，●接着機能も格段に向上するとの評価を得ている．
■従来方式と本発明の比較
2010012452.tif 000003
【発明を実施するための最良の形態】
【０００６】  （１）の回転装置で，（２）の被加工物を回転させる．
（１）の回転装置の把持部やテーブル部の材質・機構・形状・制御方式などは，被加工物の要求品質に対応させる．
【図面の簡単な説明】
【０００７】
【図１】  本発明の図面である．
【符号の説明】
【０００８】  １  回転装置
２  被加工物
【図１】
2010012452.tif 000004
(57)【要約】      （修正有）【課題】ビン，ペットボトル等容器の洗浄において、取り扱いが容易で隅の汚れが取れやすく、使用後に保管が容易なボトル洗浄器を提供する。【解決手段】紐状のたわし３に数個のボール４を埋め込み、または、数個のたわしを紐で繋いだものを、洗浄液飛散防止用キャップ１に連結紐２で連結する。【選択図】図１
2010012449.tif 000002
【特許請求の範囲】
【請求項１】
スポンジ、または、ネット状のたわしに数個のボールを埋め込んだもの、または、数個のたわしを紐で連結したものと、洗浄液飛散防止用キャップにつないだボトル洗浄器。
【請求項２】
取っ手付洗浄液飛散防止用キャップ。
【発明の詳細な説明】
【技術分野】
【０００１】本発明は、紐状のたわしに数個のボールを埋め込み、または、数個のたわしを紐で繋いだものを、洗浄液飛散防止用キャップに紐で連結したもので、たわしを少量の水とともに挿入し、振ることによってボトルを洗浄する物である。
【背景技術】
【０００２】従来は、たわし等をバラで入れ振って洗浄する物はあったが、糸，紐等で連結されたものは無かった。
【発明の開示】
【発明が解しようとする課題】
【０００３】ビン、ペットボトル等小口径の容器を洗浄するのに、柄付きブラシ等があるが、隅の汚れが取れにくく、また、直接容器の中に小さなたわし等を入れ、振って洗浄する物があるが、使用しない時紛失しやすいという難点があった。本発明は、この課題を解消するためになされたものである。
【課題を解決するための手段】
【０００４】たわしを一つの紐状、または、紐で連結し一体化した。
【０００５】取っ手付洗浄液飛散防止キャップを設けた。
【発明の効果】
【０００６】たわしの一体化により、使用後の容器からの取り出しが容易になり、また、たわしの紛失が防げる。
【０００７】取っ手付洗浄液飛散防止キャップにより、使用後のたわしが取り出しやすく、取っ手をフック等に掛ける事ができ保管が容易である。
【実施例１】
【０００８】紐状のたわし（３）にボール（４）を数個埋め込み、洗浄液飛散防止キャップ（１）に連結したもので、使用例（図３）の様に、ペットボトル等の容器にたわしを挿入し、振る事により容器の洗浄を行う。
【図面の簡単な説明】
【０００９】
【図１】本発明の全容図である。
【図２】本発明の応用図である。
【図３】本発明の使用例である。
【符号の説明】
【００１０】（１）洗浄液飛散防止キャップ
（２）連結紐
（３）紐状たわし
（４）ボール
（５）たわし
【図１】
2010012449.tif 000003
【図２】
2010012449.tif 000004
【図３】
2010012449.tif 000005